【手続補正書】
【提出日】令和2年10月8日(2020.10.8)
【手続補正１】
【補正対象書類名】特許請求の範囲
【補正対象項目名】全文
【補正方法】変更
【補正の内容】
【特許請求の範囲】
【請求項１】
回路であって、
出力基準電圧を生成するためのチャージポンプと、
前記チャージポンプから前記基準電圧を受信するように結合され、ＤＣ／ＤＣコンバータの第１及び第２のブートストラップノードの間に更に結合され、第１の充電電流を供給するための第１のプートストラップリフレッシュ回路であって、前記第１の充電電流が、前記ＤＣ／ＤＣコンバータの第１の動作モードを示す制御信号に基づいてコンデンサを充電するために前記第１のブートストラップノードから前記第２のブートストラップノードへソースされ、前記第１の動作モードから第２の動作モードへの切り替えに応答してブートストラップを促進する、前記第１のブートストラップリフレッシュ回路と、
前記チャージポンプから前記基準電圧を受信するように結合され、前記ＤＣ／ＤＣコンバータの前記第１及び第２のブートストラップノードの間に更に結合される第２のブートストラップリフレッシュ回路であって、前記ＤＣ／ＤＣコンバータの前記第２の動作モードを示す前記制御信号に基づいて前記コンデンサを充電するために前記第２のブートストラップノードから前記第１のブートストラップノードへ第２の充電電流を供給し、前記第２の動作モードから前記第１の動作モードへの切り替えに応答してブートストラップを促進する、前記第２のブートストラップリフレッシュ回路と、
を含む、回路。
【請求項２】
請求項１に記載の回路であって、
前記第１のブートストラップリフレッシュ回路が、前記出力基準電圧に基づいて前記第１の充電電流を制御するための第１のリフレッシュ制御回路を含み、
前記第２のブートストラップリフレッシュ回路が、前記出力基準電圧に基づいて前記第２の充電電流を制御するための第２のリフレッシュ制御回路を含む、回路。
【請求項３】
請求項２に記載の回路であって、
前記第１のリフレッシュ制御回路が、第１の電流信号と、前記第１の動作モードを示す前記制御信号とに基づいて、前記第１の充電電流を前記第２のブートストラップノードに供給する第１の充電回路を駆動し、
前記第２のリフレッシュ制御回路が、第２の充電電流と、前記第２の動作モードを示す前記制御信号とに基づいて、前記第２の電流信号を前記第１のブートストラップノードに供給する第２の充電回路を駆動する、回路。
【請求項４】
請求項３に記載の回路であって、
前記第１のリフレッシュ制御回路と前記第１の充電回路とが、前記第１の電流信号を生成して前記出力基準電圧に基づいて前記第１の充電電流を制御するために第１の電流ミラーを介して結合され、
前記第２のリフレッシュ制御回路と前記第２の充電回路とが、前記第２の電流信号を生成して前記出力基準電圧に基づいて前記第２の充電電流を制御するために第２の電流ミラーを介して結合される、回路。
【請求項５】
請求項４に記載の回路であって、
前記第１のリフレッシュ制御回路が第１のバイアス抵抗器を含み、前記第１の電流ミラーが第２のバイアス抵抗器を含み、前記第１の電流信号を制御するために前記第１のバイアス抵抗器が前記第２のバイアス抵抗とマッチングされ、
前記第２のリフレッシュ制御回路が第３のバイアス抵抗器を含み、前記第２の電流ミラーが第４のバイアス抵抗器を含み、前記第２の電流信号を制御するために前記第３のバイアス抵抗器が前記第４のバイアス抵抗器とマッチングされる、回路。
【請求項６】
請求項１に記載の回路であって、
前記チャージポンプと前記第１及び第２のブートストラップリフレッシュ回路との各々が、半導体基板上に配置される、回路。
【請求項７】
請求項６に記載の回路であって、
前記チャージポンプが、前記半導体基板上に配置されるバッファと充電コンデンサとを含み、前記バッファが前記出力基準電圧を生成するために前記充電コンデンサを駆動する、回路。
【請求項８】
請求項１に記載の回路であって、
前記第１のブートストラップノードに結合される前記ＤＣ／ＤＣコンバータの第１のインダクタノードを駆動するためのバックサイドドライバ回路と、
前記第２のブートストラップノードに結合される前記ＤＣ／ＤＣコンバータの第２のインダクタノードを駆動するためのブーストサイドドライバ回路と、
を更に含む、回路。
【請求項９】
請求項８に記載の回路であって、
前記ＤＣ／ＤＣコンバータの第１及び第２のインダクタノードの間の電流フローの方向を制御するためのレギュレータ制御回路を更に含む、回路。
【請求項１０】
請求項９に記載の回路であって、
前記レギュレータ制御回路が、バック動作モードとブースト動作モードとバック／ブースト動作モードとの少なくとも１つを含むように、前記ＤＣ／ＤＣコンバータのオペレーションを制御する、回路。
【請求項１１】
回路であって、
基準電圧を生成するためのチャージポンプと、
前記チャージポンプから前記基準電圧を受信するための第１の電圧入力を含み、前記基準電圧に基づき、そして制御信号入力に応答して第１の出力電流を生成する第１のリフレッシュ制御回路と、
前記第１のリフレッシュ制御回路からの前記第１の出力電流に基づいてＤＣ／ＤＣコンバータの第１のブートストラップノードから第２のブートストラップノードに第１の充電電流を供給するために前記第１のリフレッシュ制御回路に結合される第１の充電回路と、
前記チャージポンプから前記基準電圧を受信するための第２の電圧入力を含み、前記基準電圧に基づき、そして前記制御信号入力に応答して第２の出力電流を生成する第２のリフレッシュ制御回路と、
前記第２のリフレッシュ制御回路からの前記第２の出力電流に基づいて前記ＤＣ／ＤＣコンバータの前記第２のブートストラップノードから前記第２のブートストラップノードに第２の充電電流を供給するために前記第２のリフレッシュ制御回路に結合される第２の充電回路と、
を含む、回路。
【請求項１２】
請求項１１に記載の回路であって、
前記第１のリフレッシュ制御回路と前記第１の充電回路とが、前記基準電圧と第１の電流信号とに基づいて前記第１の充電電流を制御するために第１の電流ミラーを介して結合される、回路。
【請求項１３】
請求項１２に記載の回路であって、
前記第２のリフレッシュ制御回路と前記第２の充電回路とが、前記基準電圧と第２の電流信号とに基づいて前記第２の充電電流を制御するために第２の電流ミラーを介して結合される、回路。
【請求項１４】
請求項１１に記載の回路であって、
前記チャージポンプと前記第１及び第２のリフレッシュ制御回路と前記第１及び第２の充電回路との各々が、半導体基板上に配置される、回路。
【請求項１５】
請求項１４に記載の回路であって、
前記チャージポンプが、前記半導体基板上に配置されるバッファと充電コンデンサとを含み、前記バッファが前記基準電圧を生成するために前記充電コンデンサを駆動する、回路。
【請求項１６】
請求項１１に記載の回路であって、
前記第１のブートストラップノードに結合される前記ＤＣ／ＤＣコンバータの第１のインダクタノードを駆動するためのバックサイドドライバ回路と、
前記第２のブートストラップノードに結合される前記ＤＣ／ＤＣコンバータの第２のインダクタノードを駆動するためのブーストサイドドライバ回路と、
を更に含む、回路。
【請求項１７】
請求項１６に記載の回路であって、
前記ＤＣ／ＤＣコンバータの第１及び第２のインダクタノードの間の電流フローの方向を制御するためのレギュレータ制御回路を更に含む、回路。
【請求項１８】
集積回路であって、
半導体基板と、
少なくとも１つの充電コンデンサの基準電圧を生成するためのチャージポンプであって、前記チャージポンプと前記充電コンデンサとが前記半導体基板上に形成される、前記チャージポンプと、
前記半導体基板上に形成され、前記チャージポンプから前記基準電圧を受信するように結合され、ＤＣ／ＤＣコンバータの第１及び第２のブートストラップノードの間に更に結合され、第１の充電電流を供給するための第１のブートストラップリフレッシュ回路であって、前記第１の充電電流が、前記ＤＣ／ＤＣコンバータの第１の動作モードを示す制御信号に基づいて前記第１のブートストラップノードから前記第２のブートストラップノードへ供給される、前記第１のブートストラップリフレッシュ回路と、
前記半導体基板上に形成され、前記チャージポンプから前記基準電圧を受信するように結合され、前記ＤＣ／ＤＣコンバータの前記第１及び第２のブートストラップノードに間に更に結合される第２のブートストラップリフレッシュ回路であって、前記ＤＣ／ＤＣコンバータの第２の動作モードを示す前記制御信号に基づいて前記第２のブートストラップノードから前記第１のブートストラップノードへ第２の充電電流を供給する、前記第２のブートストラップリフレッシュ回路と、
を含む、集積回路。
【請求項１９】
請求項１８に記載の集積回路であって、
前記第１及び第２のブートストラップリフレッシュ回路の各々が、前記基準電圧に基づいて、それぞれ、前記第１の充電電流及び前記第２の充電電流を制御するためのリフレッシュ制御回路を含む、集積回路。
【請求項２０】
請求項１９に記載の集積回路であって、
前記リフレッシュ制御回路の各々が、電流信号と、前記第１又は第２の動作モードの一方を示す前記制御信号とに基づいて、前記第１及び第２のブートストラップノードの各々に、それぞれ、前記第１の充電電流及び第２の充電電流を供給する、関連する充電回路を駆動する、集積回路。